(57)【要約】【課題】貝殻の再生利用を提案するものであって、特に真珠貝やホタテ貝などの貝殻が有する形状や色彩や反射性等の外観特性を利用した景観に優れた貝殻化粧パネル材を提供する。【解決手段】枠体１１内に砂状充填材１２が充填された装飾部Ｄを有するパネル材１０であって、装飾部に充填された砂状充填材の表面側に貝殻部材２０が貝殻内面を上面側に露出して埋設され、貝殻内面に透明樹脂材料が充填されていて、貝殻部材があこや貝であって、貝殻部材の貝殻内面に真珠が配置されている。【選択図】図１
0003201149.tif 000002
【実用新案登録請求の範囲】
【請求項１】
枠体内に砂状充填材が充填された装飾部を有するパネル材であって、前記装飾部に充填された前記砂状充填材の表面側に貝殻部材が一面側を露出して埋設されていることを特徴とする貝殻化粧パネル材。
【請求項２】
前記貝殻部材が二枚貝の一片または二片であり、その貝殻内面を上面側にして配置されている請求項１に記載の貝殻化粧パネル材。
【請求項３】
前記貝殻内面に透明樹脂材料が充填されている請求項２に記載の貝殻化粧パネル材。
【請求項４】
前記貝殻部材があこや貝である請求項２または３に記載の貝殻化粧パネル材。
【請求項５】
前記貝殻部材の前記貝殻内面に真珠が配置されている請求項４に記載の貝殻化粧パネル材。
【請求項６】
前記貝殻部材が貝殻外面を上面側にして配置されている請求項１に記載の貝殻化粧パネル材。
【請求項７】
前記貝殻がホタテ貝である請求項６に記載の貝殻化粧パネル材。
【請求項８】
前記装飾部の表面側全面または一部に透明樹脂層が積層されている請求項１ないし７のいずれか１項に記載の貝殻化粧パネル材。
【請求項９】
前記枠体に前記装飾部を有する桟状部材が複数架設されている請求項１ないし８のいずれか１項に記載の貝殻化粧パネル材。
【請求項１０】
前記パネル材が歩道用溝蓋である請求項１ないし９のいずれか１項に記載の貝殻化粧パネル材。
【請求項１１】
前記砂状充填材がノンスリップ材である請求項１０に記載の貝殻化粧パネル材。
【考案の詳細な説明】
【技術分野】
【０００１】
この考案は床材、壁材あるいは溝蓋等に使用される貝殻化粧パネル材に関する。
【背景技術】
【０００２】
例えば、公園や公共の施設や駐車場等の排水溝や集水桝の開口に設置される細長形状の溝蓋あるいは平面視略四辺形状の桝蓋にあっては、その表面に色彩や模様等の装飾部を形成して周囲環境との景観性を向上させた、いわゆる景観グレーチング等と称されるものが知られている（例えば、特許文献１参照。）。この種の景観グレーチングの装飾部は枠体内に砂状のカラー充填材を充填して形成することが一般に行われている。
【先行技術文献】
【特許文献】
【０００３】
【特許文献１】実用新案登録第２５３５２８４号公報
【考案の概要】
【考案が解決しようとする課題】
【０００４】
ところで、例えば、真珠貝やホタテ貝などの貝殻を排出する地域では動植物性残渣としてその廃棄処分が問題となっている。近年この種貝殻の再生利用が試みられており、粉砕や焼成等により建築材や土壌改良剤などとして利用することが提案されている。
【０００５】
この考案は上記の点に鑑み、貝殻の再生利用を提案するものであって、特に真珠貝やホタテ貝などの貝殻が有する形状や色彩や反射性等の外観特性を利用した景観に優れた貝殻化粧パネル材を提供するものである。この考案は、床材、壁材あるいは溝蓋等の一般的な使用のほかに、例えば観光地やイベント等の案内板や誘導板やモニュメント等において使用され、とりわけこれらの真珠やホタテなどの産地では地場産業の特産品をアピールする有効なツールとしても利用できる。
【課題を解決するための手段】
【０００６】
すなわち、請求項１の考案は、枠体内に砂状充填材が充填された装飾部を有するパネル材であって、前記装飾部に充填された前記砂状充填材の表面側に貝殻部材が一面側を露出して埋設されていることを特徴とする貝殻化粧パネル材に係る。
【０００７】
請求項２の考案は、前記貝殻部材が二枚貝の一片または二片であり、その貝殻内面を上面側にして配置されている請求項１に記載の貝殻化粧パネル材に係る。
【０００８】
請求項３の考案は、前記貝殻内面に透明樹脂材料が充填されている請求項２に記載の貝殻化粧パネル材に係る。
【０００９】
請求項４の考案は、前記貝殻部材があこや貝である請求項２または３に記載の貝殻化粧パネル材に係る。
【００１０】
請求項５の考案は、前記貝殻部材の前記貝殻内面に真珠が配置されている請求項４に記載の貝殻化粧パネル材に係る。
【００１１】
請求項６の考案は、前記貝殻部材が貝殻外面を上面側にして配置されている請求項１に記載の貝殻化粧パネル材に係る。
【００１２】
請求項７の考案は、前記貝殻がホタテ貝である請求項６に記載の貝殻化粧パネル材に係る。
【００１３】
請求項８の考案は、前記装飾部の表面側全面または一部に透明樹脂層が積層されている請求項１ないし７のいずれか１項に記載の貝殻化粧パネル材に係る。
【００１４】
請求項９の考案は、前記枠体に前記装飾部を有する桟状部材が複数架設されている請求項１ないし８のいずれか１項に記載の貝殻化粧パネル材に係る。
【００１５】
請求項１０の考案は、前記パネル材が歩道用溝蓋である請求項１ないし９のいずれか１項に記載の貝殻化粧パネル材に係る。
【００１６】
請求項１１の考案は、前記砂状充填材がノンスリップ材である請求項１０に記載の貝殻化粧パネル材に係る。
【考案の効果】
【００１７】
請求項１の考案に係る貝殻化粧パネル材によると、枠体内に砂状充填材が充填された装飾部を有するパネル材であって、前記装飾部に充填された前記砂状充填材の表面側に貝殻部材が一面側を露出して埋設されているものであるから、廃棄物である貝殻を効果的に再生利用することができる。特に真珠貝やホタテ貝などの貝殻が有する形状や色彩や反射性等の外観特性を利用した景観に優れた貝殻化粧パネル材を提供できる。また、この考案は、床材、壁材あるいは溝蓋等の一般的な使用のほかに、例えば観光地やイベント等の案内板や誘導板やモニュメント等において使用され、とりわけこれらの真珠やホタテなどの産地では地場産業の特産品をアピールする有効なツールとしても利用できる。
【００１８】
請求項２の考案は、請求項１の考案において、前記貝殻部材が二枚貝の一片または二片であり、その貝殻内面を上面側にして配置されているものであるから、二枚貝の貝殻部材の内面側の外観特性をそのまま利用した外観性及び景観に優れた貝殻化粧パネル材を提供できる。
【００１９】
請求項３の考案は、請求項２の考案において、前記貝殻内面に透明樹脂材料が充填されているものであるから、二枚貝の貝殻部材の内面側の外観特性をより高めた外観性及び景観に優れた貝殻化粧パネル材を提供できる。また、前記貝殻内面に透明樹脂材料が充填されていることにより、パネルとしての耐候性、耐久性を高めることができる。
【００２０】
請求項４の考案は、請求項２または３の考案において、前記貝殻部材があこや貝であることより、あこや貝の外観特性をアピールすることができるのみならず、真珠等の養殖産地では地場産業の特産品をアピールする有効なツールとしても利用できる。
【００２１】
請求項５の考案は、前請求項４の考案において、記貝殻部材の前記貝殻内面に真珠が配置されているものであるから、より高級なあこや貝のイメージ及び外観特性をアピールすることができる。
【００２２】
請求項６の考案は、請求項１の考案において、前記貝殻部材が貝殻外面を上面側にして配置されているものであるから、貝殻外面の外観特性をそのまま利用した外観性及び景観に優れた貝殻化粧パネル材を提供できる。
【００２３】
請求項７の考案は、請求項６の考案において、前記貝殻がホタテ貝であるから、ホタテ貝の外観特性をアピールすることができるのみならず、ホタテ等の養殖産地では地場産業の特産品をアピールする有効なツールとしても利用できる。
【００２４】
請求項８の考案は、請求項１ないし７のいずれかの考案において、前記装飾部の表面側全面または一部に透明樹脂層が積層されているものであるから、装飾部の表面側の装飾性が向上されるのみならず、パネルとしての耐候性、耐久性を高めることができる。
【００２５】
請求項９の考案は、請求項１ないし８のいずれかの考案において、前記枠体に前記装飾部を有する桟状部材が複数架設されているものであるから、枠体に強度を持たせることができ、パネル材の強度を向上させ、その大型化も可能となる。
【００２６】
請求項１０の考案は、請求項１ないし９のいずれかの考案において、前記パネル材が歩道用溝蓋であることより、溝蓋としての外観を向上させ景観を優れた溝蓋を提供できる。また、真珠やホタテなどの産地では地場産業の特産品をアピールする有効なツールとしても利用できる。
【００２７】
請求項１１の考案は、請求項１０の考案において、前記砂状充填材がノンスリップ材であるから、溝蓋として滑り止め効果をもたせることができる。
【図面の簡単な説明】
【００２８】
【図１】この考案の第１実施形態を表す貝殻化粧パネル材の斜視図である。
【図２】この考案の第２実施形態を表す貝殻化粧パネル材の斜視図である。
【図３】貝殻化粧パネル材の第２実施例の要部断面図である。
【図４】図３の装飾部の表面側に透明樹脂層が積層された要部断面図である。
【図５】この考案の第３実施形態を表す貝殻化粧パネル材の斜視図である。
【図６】貝殻化粧パネル材の第３実施例の要部断面図である。
【図７】図６の装飾部の表面側に透明樹脂層が積層された要部断面図である。
【図８】この考案の第４実施形態を一部を切欠き断面で表した斜視図である。
【考案を実施するための形態】
【００２９】
図１に示すこの考案の第１実施形態に係る貝殻化粧パネル材１０（１０Ａ）は、請求項１に係る考案として規定したように、枠体１１内に砂状充填材１２が充填された装飾部Ｄを有するパネル材であって、前記装飾部Ｄに充填された前記砂状充填材１２の表面側１２Ａに貝殻部材２０（２０Ａ）が一面側を露出して埋設されているものである。前記したように、この考案の貝殻化粧パネル材１０（１０Ａ）では、廃棄物である貝殻を破砕や焼成などすることなく、そのままを効果的に再生利用することができる。特に真珠貝やホタテ貝などの貝殻が有する形状や色彩や反射性等の外観特性を利用した景観に優れた貝殻化粧パネル材が提供できる。この考案の貝殻化粧パネル材１０（１０Ａ）は、床材、壁材あるいは溝蓋等の一般的な使用のほかに、例えば観光地やイベント等の案内板や誘導板やモニュメント等において使用され、とりわけこれらの真珠やホタテなどの産地では地場産業の特産品をアピールする有効なツールとしても利用できる。
【００３０】
枠体１１は、スチール鋼材やステンレス鋼材、鋳物等が所定の形状に形成されてなる。本考案の貝殻化粧パネル材１０の使用目的に合わせて大きさや形状等は適宜決定される。例えば、壁材や床材として使用する場合には、所定サイズのパネル形状のほかに床や壁面と同じ大きさに形成してもよい。加えて、壁や床の一部を装飾するために、図１に示すような四角形の枠体１１の他にも、円形や多角形等の適宜の形状としてもよい。なお、図示を省略するが、枠体１１には装飾部Ｄの形状に合わせて、枠体裏側に適宜の底部が形成されることはいうまでもない。
【００３１】
砂状充填材１２は、装飾部Ｄに充填して固化される。砂状充填材１２は、公知のカラーサンドや木材チップ、廃ガラス等のような装飾部Ｄの表面１３を美麗に構成することができるものを適宜選択して使用することができる。任意の砂状充填材１２を選択して使用することができるため、使用の目的に合致したパネル外観を形成することができる。
【００３２】
また請求項１０または１１による考案として規定したように、床材や溝蓋などのように該パネル材１０を人が通行するような場所に設置する場合においては、砂状充填材１２をノンスリップ材１２Ｇ（図２等参照）とすることができる。実施例においては、砂状セラミックスと合成樹脂材との混合物よりなるノンスリップ材１２Ｇを充填固着されることにより、滑り止め効果を付与するほか、耐摩耗性や強度を高めることができる。この砂状セラミックスとしては、顆粒状の無機材料が用いられ、合成樹脂は、砂状セラミックスのバインダーとして用いられ、公知のエポキシ樹脂が好ましい。この砂状セラミックスと合成樹脂材は、要求される耐久性に応じて適宜に配合される。その際、所望の顔料等を添加することにより着色し、装飾部Ｄの表面１３を美麗に構成しその外観を向上させることができる。
【００３３】
貝殻部材２０（２０Ａ）は、廃棄物である貝殻を再利用することができ、貝殻の外観特性がそのまま利用される。この貝殻部材２０（２０Ａ）は、装飾部Ｄの表面１３側に埋設される。そして、貝殻部材２０の一面側が露出するように配置される。これにより、貝殻部材２０の有する形状や色彩や反射性等の外観特性を利用した景観に優れた貝殻化粧パネル材１０を形成することができる。
【００３４】
図１の貝殻化粧パネル材１０Ａにおいては、請求項２に係る考案として規定したように、貝殻部材２０Ａの内面２１が装飾部Ｄに充填された砂状充填材１２の表面１２Ａ（１３）側に露出している。この貝殻部材２０は二枚貝のあこや貝２０Ａである。あこや貝は真珠養殖に利用される真珠母貝の一つで、真珠貝とも呼ばれ貝殻の内面に真珠層を有する。このため、貝殻の内面が非常に美麗であり、美観に優れた貝殻化粧パネル材１０Ａを形成することができる。さらに、あこや貝２０Ａを使用することにより、真珠等の養殖産地では産業の特産品をアピールする有効なツールとなる。また、真珠等の養殖産地では、あこや貝の他にも真珠母貝となりうる他の貝を使用したり、ホタテの養殖産地であれば、後述する実施例のようにホタテ貝を使用したりすることもできる。他にも、二枚貝の桜貝や巻貝のオウム貝等のように形状や色彩等が美しい貝を使用することができる。
【００３５】
とりわけ請求項４または５に係る考案として規定し図１ないし４にも図示したように、あこや貝２０Ａの貝殻内面に真珠２９を配置することにより、優れた高級感が演出され装飾性をより一層高めることができるとともに、看者へのインパクトも大きく真珠養殖産地の地場産業の特産品として大きな話題性を提供することができる。ここで使用される真珠２９の品質についてはパネル材の用途により適宜選択されることはいうまでもない。
【００３６】
図２に示す第２実施例の貝殻化粧パネル材１０Ｂは、請求項１０に係る考案としても規定する歩道用溝蓋１０Ｇである。この歩道用溝蓋１０Ｇは複数の分割された装飾部Ｄを有し、それぞれの間に通水部１９，１９，１９，１９が形成されている。該パネル材１０Ｂは、図３に図示したように、溝蓋形状に形成された枠体１１と該枠体１１内に所定間隔で多数並列された桟材４０と前記桟材４０と直行するツイストバー４１によって格子状に形成されたグレーチングであって、桟材４０の上部に複数の装飾部Ｄが形成されている。
【００３７】
図３に示すように、実施例１０Ｂに使用される貝殻部材２０はあこや貝２０Ａであって、請求項３に係る考案として規定したように、その内面には透明樹脂材料２５が充填されている。これにより、貝殻の破損や、水、ゴミ等が貝殻の凹み部分に溜まるのを防ぎその外観の劣化を防ぐことができ、パネルとしての耐候性、耐久性を高めることができる。また、図３，４に示し請求項８に係る考案としても規定したように、装飾部Ｄの全面又は一部に透明樹脂層３０を形成することにより、装飾部Ｄの装飾性が向上されるのみならず、さらにパネルとしての耐候性、耐久性を高めることができる。さらに、図示しないが、装飾部Ｄの上に紫外線を遮断するＵＶコーティングをしてもよいし、透明樹脂材料２５や透明樹脂層３０に紫外線吸収剤を添加してもよい。透明樹脂材料２５の劣化や貝殻部材２０の経時劣化を抑えることができる。
【００３８】
図５に示す第３実施例の貝殻化粧パネル材１０Ｃは、第２実施例の貝殻化粧パネル材１０Ｂの貝殻部材２０（あこや貝２０Ａ）をホタテ貝２０Ｂに変更した例である。請求項６または７に係る考案として規定したように、ホタテ貝２０Ｂは貝殻の外面２２に特徴を有するため、貝殻外面２２を上面側にして配置される。ホタテ貝の養殖を地場産業とする地域の特産品のアピールとして有効である。
【００３９】
図６及び図７に示すように、第２実施例１０Ｂと同様に装飾部Ｄの表面１３側に透明樹脂層３０が積層されている。図６に示すように、透明樹脂層３０が装飾部Ｄの表面１３側の一部に積層されると、ホタテ貝２０Ｂの貝殻外面２２の一部が露出してその質感等がそのまま外観に表れることにより貝殻表面の独特な感触を感じることができ、視覚以外にも楽しさを感じさせることができる。また、図７に示すように、装飾部Ｄの表面１３側全面に透明樹脂層３０が積層されると、装飾部Ｄの表面１３側の装飾性が向上されるのみならず、パネルとしての耐候性、耐久性を高めることができる。
【００４０】
図８に示す第４実施例の貝殻化粧パネル材１０Ｄは、請求項９または１０に係る考案として規定するように、枠体１１に装飾部Ｄを有する桟状部材４０が複数架設されてなる歩道用溝蓋１０Ｇである。桟状部材４０は上部に装飾部Ｄが形成された断面視略Ｙ字状に構成され、枠材１１内に多数本が平行に架け渡されている。符号４１は、該パネル材１０Ｄの強度を補強するツイストバーであって、桟状部材４０と直行して設けられる。枠体１１に強度を持たせることができるため、パネル材の強度を向上させることができ、大型化が可能である。
【００４１】
装飾部Ｄには、先の実施例１０Ａないし１０Ｃと同様に、砂状充填材１２が充填して固定され、貝殻部材２０が埋設される。この実施例において、貝殻部材２０はあこや貝２０Ａの欠片２０Ｃが使用される。回収途中で割れてしまった貝殻等や小さすぎてボタン等に加工することができない貝殻等を効果的に再生利用することができる。また、一枚の貝殻として配置されるよりも光が乱反射するため、他の実施例とは異なる外観特性を持ち、景観に優れた貝殻化粧パネル材が提供できる。
【００４２】
また、図示しないが、二枚貝の二片を並べて配置したり、傾けて配置して蝶を模した図柄を作成する等、装飾性に富んだデザインの装飾部Ｄとすることもできる。他にも、種類の異なる貝を一つのパネルに使用したりして外観を向上させてもよい。該パネル材の使用者は、使用目的に合わせてパネルの使用方法や、装飾部の形状、貝殻部材の種類を自由に選択することができる。
【産業上の利用可能性】
【００４３】
以上の通り、この考案の貝殻化粧パネル材では、廃棄物である貝殻を破砕や焼成などすることなく、そのままを効果的に再生利用することができる。特に真珠貝やホタテ貝などの貝殻が有する形状や色彩や反射性等の外観特性を利用した景観に優れた貝殻化粧パネル材が提供できる。この考案の貝殻化粧パネル材は、床材、壁材あるいは溝蓋等の一般的な使用のほかに、例えば観光地やイベント等の案内板や誘導板やモニュメント等において使用され、とりわけこれらの真珠やホタテなどの産地では地場産業の特産品をアピールする有効なツールとしても利用できる。
【符号の説明】
【００４４】
１０，１０Ａ，１０Ｂ，１０Ｃ，１０Ｄ    貝殻化粧パネル材
１０Ｇ    歩道用溝蓋
１１    枠体
１２    砂状充填材
１２Ｇ    ノンスリップ材
２０    貝殻部材
２５    透明樹脂材料
２９    真珠
３０    透明樹脂層
４０    桟状部材
Ｄ    装飾部
【図１】
0003201149.tif 000003
【図２】
0003201149.tif 000004
【図３】
0003201149.tif 000005
【図４】
0003201149.tif 000006
【図５】
0003201149.tif 000007
【図６】
0003201149.tif 000008
【図７】
0003201149.tif 000009
【図８】
0003201149.tif 000010